(57)【特許請求の範囲】
【請求項１】
固定接点と、
支点部と、
長尺をなし、固定接点に対向させた可動接点を少なくとも一方の端部に有し、支点部側の中腹で支点部に摺動自在に支持されて可動接点が固定接点に近接離反するように揺動する第１接触片と、
第１接触片の長手方向に沿う長尺をなし第１接触片に重ねて設置され、第１接触片における支点部側とは反対側に摺動自在に接する摺接部を支点部側の中腹に有し、摺接部を中心に揺動する第２接触片と、
スイッチにオフ状態を取らせるときに押下されるオフ側領域と、スイッチにオン状態を取らせるときに押下されるオン側領域とを有し、押圧部を第２接触片の長手方向に動かすための操作部と、
操作部に設けられ、第２接触片における支点部側とは反対側に押圧力を持って第２接触片を押圧する押圧部と、
押圧部に取り付けられ第２接触片に接する押圧ピンと、
を備え、
スイッチにオフ状態を取らせるときは、
操作部によりオフ側領域は押下され、押圧ピンの先端は第２接触片の摺動部を挟んだ可動接点の反対側部分に接して第２接触片を押下させ、
第２接触片は、第１接触片に接して押下され、第１接触片の可動接点は固定接点と離反され、
スイッチをオフ状態からオン状態へ切り替えるときは、
操作部によりオン側領域は押下され、
押圧ピンの先端は、第２接触片の摺動部を挟んだ可動接点の反対側部分から、第２接触片の摺動部を挟んだ可動接点側部分に接しながら移動して第２接触片を押下させ、
第２接触片は、第１接触片に接して押下され、第１接触片の可動接点は固定接点に近接され、
スイッチにオン状態を取らせるときは、
操作部によりオン側領域は押下され、
押圧ピンの先端は第２接触片の摺動部を挟んだ可動接点側部分に接して第２接触片を押下させ、
第２接触片は、第１接触片に接して押下され、第１接触片の可動接点は固定接点と接触される、
シーソースイッチ。
【請求項２】
第１接触片及び第２接触片の少なくとも一方の長手方向の動きを規制する規制部を更に備える、
請求項１記載のシーソースイッチ。
【請求項３】
第２接触片の両端部に設けられ、第２接触片の第２の側に突出するストッパ部を更に備える、
請求項１又は２記載のシーソースイッチ。
【請求項４】
支点部は、
第１接触片の第１の側に面接触する平坦部と、
平坦部を挟むように第１接触片の長手方向の両隣に位置し、平坦部に対して傾斜する傾斜部と、
を形成する、請求項１から３のいずれか一に記載のシーソースイッチ。
【発明の詳細な説明】
【技術分野】
【０００１】
本発明は、シーソースイッチに関する。
【背景技術】
【０００２】
特許文献１には、切り替えスイッチ４０が記載されている。切り替えスイッチ４０は、回動バー１４と、摺動部１６と、第１固定接点１９と、第２固定接点２０とから構成される接点部４２を備える。回動バー１４は、支点部１３を中心に回動してシーソーのように揺れ動く。この回動バー１４は、両側に第１可動接点１７及び第２可動接点１８を有する。第１固定接点１９や第２固定接点２０は、第１可動接点１７や第２可動接点１８に対峙している。摺動部１６は、回動バー１４に向かう方向に付勢され操作レバー１２への操作で動く摺動凸部１５を有し、回動バー１４の上部を摺動してスイッチを切り替える。
【０００３】
特許文献１に記載の切り替えスイッチ４０では、モータＭの両端を短絡させると、モータＭが停止する。モータＭを停止するために操作レバー１２を動かして摺動部１６を左方向（特許文献１の図２の矢印Ｑ１方向）に動かすと、第２可動接点１８と第２固定接点２０とが離れ（特許文献１の図２の矢印Ｑ２方向）、第１可動接点１７が特許文献１の図２の矢印Ｑ３方向に動き第１固定接点１９に電気的に接続する。また、モータＭに電源Ｅを供給するために操作レバー１２を動かして摺動部１６を右方向に動かすと、第１可動接点１７と第１固定接点１９とが離れて開の状態（非接触状態）になり、第２可動接点１８と第２固定接点２０とが閉の状態となって、補助接点４４及び固定接片６２を介して電気的に接続（図２の状態）させて電源Ｅを供給する。
【先行技術文献】
【特許文献】
【０００４】
【特許文献１】特開平１１−１６２２８５号公報（段落００２３〜００３４、図２）
【発明の概要】
【発明が解決しようとする課題】
【０００５】
特許文献１に記載の切り替えスイッチ４０では、回動バー１４と摺動部１６とが直接的に接しており、固定接点に対する可動接点の開閉の際に操作レバー１２の動きと回動バー１４の動きとが連動する。この点、スイッチの安全基準として、接点の開閉スピードは操作速度と独立していなければならないことを要請する安全基準があり、特許文献１に記載の切り替えスイッチ４０はこの要請を満たさない。
【０００６】
本発明は、上記の点を鑑みてなされたものであり、シーソースイッチでの操作速度と接点の開閉スピードとを独立させることを目的とする。
【課題を解決するための手段】
【０００７】
本発明の、シーソースイッチは、
固定接点と、
支点部と、
長尺をなし、固定接点に対向させた可動接点を少なくとも一方の端部に有し、支点部側の中腹で支点部に摺動自在に支持されて可動接点が固定接点に近接離反するように揺動する第１接触片と、
第１接触片の長手方向に沿う長尺をなし第１接触片に重ねて設置され、第１接触片における支点部側とは反対側に摺動自在に接する摺接部を支点部側の中腹に有し、摺接部を中心に揺動する第２接触片と、
スイッチにオフ状態を取らせるときに押下されるオフ側領域と、スイッチにオン状態を取らせるときに押下されるオン側領域とを有し、押圧部を第２接触片の長手方向に動かすための操作部と、
操作部に設けられ、第２接触片における支点部側とは反対側に押圧力を持って第２接触片を押圧する押圧部と、
押圧部に取り付けられ第２接触片に接する押圧ピンと、
を備え、
スイッチにオフ状態を取らせるときは、
操作部によりオフ側領域は押下され、押圧ピンの先端は第２接触片の摺動部を挟んだ可動接点の反対側部分に接して第２接触片を押下させ、
第２接触片は、第１接触片に接して押下され、第１接触片の可動接点は固定接点と離反され、
スイッチをオフ状態からオン状態へ切り替えるときは、
操作部によりオン側領域は押下され、
押圧ピンの先端は、第２接触片の摺動部を挟んだ可動接点の反対側部分から、第２接触片の摺動部を挟んだ可動接点側部分に接しながら移動して第２接触片を押下させ、
第２接触片は、第１接触片に接して押下され、第１接触片の可動接点は固定接点に近接され、
スイッチにオン状態を取らせるときは、
操作部によりオン側領域は押下され、
押圧ピンの先端は第２接触片の摺動部を挟んだ可動接点側部分に接して第２接触片を押下させ、
第２接触片は、第１接触片に接して押下され、第１接触片の可動接点は固定接点と接触される、
を備える。
【発明の効果】
【０００８】
本発明によれば、操作部を操作して押圧部を動かすと、まず、第２接触片が摺接部を中心に揺動する。このとき、第２接触片の摺接部が第１接触片を摺動する。そして、その後に、第１接触片は、第２接触片の摺接部や端部に押されて、支点部を摺動しつつこの支点部を中心に揺動する。このように、シーソースイッチでは、操作部の動きと、固定接点に対する可動接点の開閉とに時間差が生じ、シーソースイッチでの操作速度と接点の開閉スピードとを独立させることができる。
【図面の簡単な説明】
【０００９】
【図１】シーソースイッチの斜視図である。
【図２】シーソースイッチの正面断面図である。
【図３】シーソースイッチの分解斜視図である。
【図４】互いに組み付けられた金属部材と第１接触片と第２接触片との斜視図である。
【図５】第１端子と金属部材とが取り付けられた状態でのスイッチハウジングの平面図である。
【図６】図５に続いて、第１接触片と第２接触片とが取り付けられた状態でのスイッチハウジングの平面図である。
【図７】オフ状態にあるシーソースイッチの内部構造を示す正面断面図である。
【図８】図７に続いて、オン側領域が押下されはじめた状態でのシーソースイッチの内部構造を示す正面断面図である。
【図９】図８に続いて、オン側領域がさらに押下された状態でのシーソースイッチの内部構造を示す正面断面図である。
【図１０】図９に続いて、オン側領域がさらに押下された状態でのシーソースイッチの内部構造を示す正面断面図である。
【図１１】図１０に続いて、オン側領域がさらに押下された状態でのシーソースイッチの内部構造を示す正面断面図である。
【図１２】図１１に続いて、オン状態に至ったシーソースイッチの内部構造を示す正面断面図である。
【発明を実施するための形態】
【００１０】
実施の一形態を、図１ないし図１２に基づいて説明する。
【００１１】
図１は、シーソースイッチ１０１の斜視図である。シーソースイッチ１０１は、スイッチハウジング１０２と、操作部としてのシーソー体１０３と、素子部１０４（図２等参照）とを備える。
【００１２】
スイッチハウジング１０２は、樹脂素材で形成された略直方体形状の中空のボックス体であり、平面視で細長い長方形形状に見える。スイッチハウジング１０２の上面には、開口１０５が設けられる。スイッチハウジング１０２における開口１０５の周囲には、フランジ部１０２ａが、開口１０５から外側に延びている。スイッチハウジング１０２の長辺側の一対の側部のいずれにも、軸受孔１０６が、長手方向の略中央でフランジ部１０２ａの近傍に開口する。
【００１３】
スイッチハウジング１０２の短辺側の一対の側部のいずれにも、ラッチ１０７が設けられる。ラッチ１０７は、「く」字形状に折れ曲がった形状をなし、スイッチハウジング１０２から外側に突出する。ラッチ１０７の外側上方で斜め上方向を向く斜面には、滑り止め部１０７ａが形成される。ラッチ１０７は、弾性を有していて、「く」字形状の頂部１０７ｂ付近が押されると撓む。
【００１４】
スイッチハウジング１０２の底部からは、第１端子１０８と第２端子１０９とが突出し、スイッチハウジング１０２の長手方向に並んでいる。第１端子１０８や第２端子１０９には、電子機器から延びる電線（図示せず）が連結される。
【００１５】
シーソー体１０３は、押圧ピン１１２（図２を参照）を第２接触片１１７（図２を参照）の長手方向に動かすためのもので、スイッチハウジング１０２の開口１０５から挿入されて、スイッチハウジング１０２に揺動自在に取り付けられている。シーソー体１０３の上面で図１における左上側の領域（オフ側領域１０３ｐ）が押下されるとシーソースイッチ１０１はオフ状態となり、シーソー体１０３の上面で図１における右下側の領域（オン側領域１０３ｑ）が押下されるとシーソースイッチ１０１はオン状態となる。図１に示されるシーソースイッチ１０１は、オフ状態にある。
【００１６】
スイッチハウジング１０２の長手方向の側部には、シーソースイッチ１０１におけるオン側／オフ側を示す文字部１０２ｂが形成されている。
【００１７】
スイッチハウジング１０２の内部には、シーソー体１０３の下端部を受け止める段部１０２ｃ（図２を参照）が形成される。段部１０２ｃによって、オフ側領域１０３ｐやオン側領域１０３ｑの押し込み過ぎが防止される。
【００１８】
図２は、シーソースイッチ１０１の正面断面図である。図３は、シーソースイッチ１０１の分解斜視図である。シーソー体１０３は、舟形形状をなし、舟形の底部を上方に向けて用いられる。シーソー体１０３の長手方向の両方の側面からは、軸部１０３ａが突出する。軸部１０３ａは、スイッチハウジング１０２に設けられた軸受孔１０６に嵌り込む（図１も参照）。
【００１９】
シーソー体１０３の内底面からは、筒部１０３ｂが下方に突出する。筒部１０３ｂには、スプリング１１１と押圧ピン１１２とがこの順に嵌め込まれる。このとき、押圧ピン１１２の先端は、下方に向く。押圧ピン１１２の先端は丸みを帯び、第２接触片１１７の上面側（第２の側）を摺動できるようになっている。スプリング１１１は、押圧ピン１１２を下方に押し出す。スプリング１１１と押圧ピン１１２とは、押圧部１１３を構成する。
【００２０】
素子部１０４は、シーソー体１０３に対する操作に応じて第１端子１０８と第２端子１０９との間の電気的接続とその遮断とを切り替えるもので、スイッチハウジング１０２の内部に収納される。素子部１０４は、固定接点１１４と、可動接点１１５と、第１接触片１１６と、第２接触片１１７と、支点部１１８とを含んでいる。
【００２１】
固定接点１１４は、半球形状をなし、第１端子１０８の上部に位置する。第１端子１０８は、上下方向に延びる板状で、スイッチハウジング１０２の底部に上方から差し込まれる。第１端子１０８には抜け止め部１０８ａが形成されている。第１端子１０８がスイッチハウジング１０２の底部に差し込まれると、抜け止め部１０８ａは、スイッチハウジング１０２に引っ掛かり抜けなくなる。これにより、固定接点１１４は、スイッチハウジング１０２の内部でスイッチハウジング１０２の底部の近傍に固定される。
【００２２】
支点部１１８は、クランク状の金属部材Ｍ１の一部をなし、同じく金属部材Ｍ１の一部に形成された第２端子１０９に繋がっている。第２端子１０９は、第１端子１０８と略同形で抜け止め部１０９ａを有し、スイッチハウジング１０２の底部に上方から差し込まれて固定される。これにより、支点部１１８は、スイッチハウジング１０２の内部でスイッチハウジング１０２の底部の近傍に固定され、第１端子１０８と第２端子１０９との間に位置する。
【００２３】
可動接点１１５は、長尺の板状をなす第１接触片１１６の一方の端部に設けられ、固定接点１１４に対向するよう配置されている。第１接触片１１６は、可動接点１１５が固定接点１１４に近接離反するように揺動する。第１接触片１１６の中腹には、翼部１１９が設けられる。翼部１１９は、第１接触片１１６の幅方向（短手方向）に広がる。そして、第１接触片１１６は、第１接触片１１６の短手方向に延びる一対の翼部１１９の縁部１１９ａのそれぞれを折り目として上方に折れ曲がっている。また、第１接触片１１６の他方の端部は、下方に折り曲げられている。この第１接触片１１６の他方の端部の端面は、第２端子１０９に当接する当接部１２０となる。
【００２４】
第２接触片１１７は、第１接触片１１６の長手方向に沿う長尺の板状をなす。第２接触片１１７の中腹には、摺接部１２１が設けられる。摺接部１２１は、第２接触片１１７の中腹で第２接触片１１７の幅方向（短手方向）に延び外縁が円弧状に凸となっている部分を下方に折り曲げて形成され、第２接触片１１７の下面側（第１の側）に突出する。第２接触片１１７には、ストッパ部１２２が設けられる。ストッパ部１２２は、第２接触片１１７の両端部を第２接触片の上面（第２の側）に突出するよう折り曲げて形成される。
【００２５】
図４は、互いに組み付けられた金属部材Ｍ１と第１接触片１１６と第２接触片１１７との斜視図である。図５は、第１端子１０８と金属部材Ｍ１とが取り付けられた状態でのスイッチハウジング１０２の平面図である。図６は、図５に続いて、第１接触片１１６と第２接触片１１７とが取り付けられた状態でのスイッチハウジング１０２の平面図である。図１並びに図３〜図６を参照し、金属部材Ｍ１について述べる。金属部材Ｍ１は、クランク状をなし、前述の第２端子１０９と、前述の支点部１１８と、これらを連結する連結部１２３とを有する。連結部１２３は、第１接触片１１６の長手方向に沿う長尺の板状をなし、第２端子１０９に直交する。連結部１２３の一方の端部は、第２端子１０９の上端部に繋がる。
【００２６】
支点部１１８は、連結部１２３の他方の端部から、上方に二つ突出する。二つの支点部１１８は、連結部１２３の幅方向（短手方向）に離間している。いずれの支点部１１８も、平坦部１１８ａと、二つの傾斜部１１８ｂとを形成する。平坦部１１８ａは、第１接触片１１６の下面側（第１の側）に面接触する。傾斜部１１８ｂは、平坦部１１８ａを挟むように、第１接触片１１６の長手方向の両隣に位置する。傾斜部１１８ｂは、平坦部１１８ａが上になるように平坦部１１８ａに対して傾斜する。平坦部１１８ａと傾斜部１１８ｂとの境界１２６Ｒ，１２６Ｌは、角状になっている。平坦部１１８ａと二つの傾斜部１１８ｂとによって、支点部１１８は、台形形状に見える。
【００２７】
連結部１２３の他方の端部からは、規制部としての四本の規制アーム１２４が、上方に延びている。規制アーム１２４は、支点部１１８を、連結部１２３の長手方向に挟んでいる。規制アーム１２４の上端部には、第１接触片１１６の翼部１１９や第２接触片１１７の摺接部１２１を後述のように導入する作業を容易にするために、面取部１２５が形成される。
【００２８】
シーソースイッチ１０１の組み付け手順を、以下に述べる。まず、スイッチハウジング１０２の開口１０５から、第１端子１０８及び金属部材Ｍ１を挿し込み、第１端子１０８と第２端子１０９とをスイッチハウジング１０２の底部に差し込む（図５）。続いて、スイッチハウジング１０２の長手方向に並ぶ二本の規制アーム１２４の間に翼部１１９を位置付けてスイッチハウジング１０２の開口１０５から第１接触片１１６を導入し、第１接触片１１６の下面側（第１の側）を支点部１１８に支持させる。続いて、スイッチハウジング１０２の長手方向に並ぶ二本の規制アーム１２４の間に摺接部１２１を位置付けてスイッチハウジング１０２の開口１０５から第２接触片１１７を導入し、摺接部１２１を第１接触片１１６の翼部１１９の上面側（第２の側）に接しさせる（図６）。ここで、支点部１１８と第１接触片１１６とを固定せずに摺動自在とし、かつ、第１接触片１１６と第２接触片１１７とを固定せずに摺動自在とする。また、規制アーム１２４は、翼部１１９や摺接部１２１を挟みこんで、第１接触片１１６や第２接触片１１７の長手方向の動きを規制する。その後、スプリング１１１と押圧ピン１１２とが組み付けられたシーソー体１０３をスイッチハウジング１０２の開口１０５から導入し、押圧ピン１１２の先端を第２接触片１１７の上面側（第２の側）に接しさせ、シーソー体１０３の軸部１０３ａをスイッチハウジング１０２の軸受孔１０６に嵌め込む。これにより、押圧ピン１１２は、第２接触片１１７の上面側に押圧力を持って接する。また、シーソー体１０３は、軸部１０３ａを軸受孔１０６に支持されて軸部１０３ａを中心に揺れ動くことができるようになる。
【００２９】
シーソースイッチ１０１での固定接点１１４と可動接点１１５との開閉時の素子部１０４の動きを、図７〜図１２に基づいて述べる。図７は、オフ状態にあるシーソースイッチ１０１の内部構造を示す正面断面図である。オフ状態では、シーソー体１０３のオフ側領域１０３ｐが押下され、シーソー体１０３の図７における左側の下端部が段部１０２ｃに受け止められている。また、第１接触片１１６及び第２接触片１１７のいずれも、押圧ピン１１２に押されて図７における右側が下方になるように傾いており、固定接点１１４と可動接点１１５とが離反している。このとき、第１接触片１１６の上面側（第２の側）には、第２接触片１１７の摺接部１２１と第２接触片１１７の図７における右側の端部１１７Ｒとが接している。また、第１接触片１１６の下面は、境界１２６Ｒ（支点部１１８における平坦部１１８ａと図７における右側の傾斜部１１８ｂとの境界）に支持されている。また、第２接触片１１７は、押圧ピン１１２に押されて図７における右側に寄っており、第２接触片１１７の摺接部１２１の右端が規制アーム１２４に接触している。また、第１接触片１１６は、第２接触片１１７に押されて図７における右側に寄っており、第１接触片１１６の翼部１１９の右端が規制アーム１２４に接触している。また、第１接触片１１６の当接部１２０は、第２端子１０９に当接している。
【００３０】
図８は、図７に続いて、オン側領域１０３ｑが押下されはじめた状態でのシーソースイッチ１０１の内部構造を示す正面断面図である。シーソースイッチ１０１をオン状態にするためにシーソー体１０３のオン側領域１０３ｑが押下されると、押圧ピン１１２が第２接触片１１７の上面側（第２の側）を摺動し、図８における左側に動き出す。これにより、第２接触片１１７が押圧ピン１１２に押されて図８における左側に動き、第２接触片１１７の摺接部１２１の左端が規制アーム１２４に接触する。この後、第１接触片１１６は、第２接触片１１７に押されて時間差で図８における左側に動き出す。
【００３１】
図９は、図８に続いて、オン側領域１０３ｑがさらに押下された状態でのシーソースイッチ１０１の内部構造を示す正面断面図である。シーソー体１０３の図９における左側の下端部が段部１０２ｃから離れる。また、オン側領域１０３ｑがさらに押下されると、第１接触片１１６は、図８における左側にさらに動き、第１接触片１１６の翼部１１９の左端が規制アーム１２４に接触する。また、押圧ピン１１２が第２接触片１１７の上面側（第２の側）を摺動して、図８における左側に移動する。これにより、規制アーム１２４が第２接触片１１７の摺接部１２１に干渉して第２接触片１１７の長手方向の動きを規制しつつ第２接触片１１７が摺接部１２１を中心に揺動し、第２接触片１１７の右側の端部１１７Ｒが第１接触片１１６の上面側から離れる。このとき、第２接触片１１７の摺接部１２１は第１接触片１１６の上面側（第２の側）に接したままである。また、第１接触片１１６の当接部１２０は、第２端子１０９に当接したままである。
【００３２】
図１０は、図９に続いて、オン側領域１０３ｑがさらに押下された状態でのシーソースイッチ１０１の内部構造を示す正面断面図である。シーソー体１０３のオン側領域１０３ｑがさらに押下されると、押圧ピン１１２が第２接触片１１７の上面側（第２の側）を図１０における左側にさらに摺動する。このとき、第２接触片１１７の摺接部１２１の左端は規制アーム１２４に接触したままである。押圧ピン１１２が摺動すると、規制アーム１２４が第２接触片１１７の摺接部１２１に干渉して第２接触片１１７の長手方向の動きを規制しつつ第２接触片１１７が摺接部１２１を中心にさらに揺動し、第２接触片１１７の図１０における左側の端部１１７Ｌが第１接触片１１６の上面側（第２の側）に近づく。第１接触片１１６は、境界１２６Ｒを中心に回転し、第１接触片１１６の下面側（第１の側）が支点部１１８の平坦部１１８ａに面接触する。また、第１接触片１１６の当接部１２０は、第２端子１０９から離れる。
【００３３】
図１１は、図１０に続いて、オン側領域１０３ｑがさらに押下された状態でのシーソースイッチ１０１の内部構造を示す正面断面図である。シーソー体１０３のオン側領域１０３ｑがさらに押下されると、押圧ピン１１２が第２接触片１１７の上面側（第２の側）を図１１における左側にさらに摺動する。これにより、第２接触片１１７は、摺接部１２１を中心にさらに揺動し、図１１における左側が下方になるように傾く。第１接触片１１６の下面側（第１の側）は、時間差で、境界１２６Ｌ（支点部１１８における平坦部１１８ａと図１１における左側の傾斜部１１８ｂとの境界）を中心に回転し始め、支点部１１８の平坦部１１８ａから離れる。
【００３４】
図１２は、図１１に続いて、オン状態に至ったシーソースイッチ１０１の内部構造を示す正面断面図である。シーソー体１０３のオン側領域１０３ｑがさらに押下されると、シーソー体１０３の図１２における右側の下端部が、段部１０２ｃに受け止められる。また、第２接触片１１７は、押圧ピン１１２に押されて図１２における左側が下方になるように傾き、第２接触片１１７の摺接部１２１と第２接触片１１７の図１２における左側の端部１１７Ｌとの両方が第１接触片１１６の上面側（第２の側）に接する。第１接触片１１６は、境界１２６Ｌを中心にさらに回転し、図１２における左側が下方になるように傾き、可動接点１１５が固定接点１１４に接触して、シーソースイッチ１０１がオン状態となる。オン状態では、第１端子１０８と第２端子１０９との間に電位差があると、電流が、連結部１２３、支点部１１８、第１接触片１１６、可動接点１１５、固定接点１１４をこの順に又はこの逆の順に流れる。
【００３５】
なお、シーソースイッチ１０１をオン状態からオフ状態にする際には、シーソー体１０３のオフ側領域１０３ｐが押下される。これにより、押圧ピン１１２が第２接触片１１７の上面側（第２の側）を図７〜図１２における右側に摺動し、第１接触片１１６が第２接触片１１７に押されて図７〜図１２における右側が下方になるように傾き、可動接点１１５が固定接点１１４から離れて、当接部１２０が第２端子１０９に当接する。オン状態からオフ状態にする際にも、規制アーム１２４は、第２接触片１１７の摺接部１２１に干渉して第２接触片１１７の長手方向の動きを規制し、かつ、第１接触片１１６の翼部１１９に干渉して第１接触片１１６の長手方向の動きを規制する。
【００３６】
このように、本実施の形態のシーソースイッチ１０１では、シーソー体１０３を操作して押圧ピン１１２を動かすと、まず、第２接触片１１７が摺接部１２１を中心に揺動する。このとき、第２接触片１１７の摺接部１２１が第１接触片１１６を摺動する。そして、その後に、第１接触片１１６は、第２接触片１１７の摺接部１２１や端部１１７Ｒ，１１７Ｌに押されて、支点部１１８を摺動しつつこの支点部１１８を中心に揺動する。このように、本実施の形態のシーソースイッチ１０１では、シーソー体１０３の動きと、固定接点１１４に対する可動接点１１５の開閉とに時間差が生じ、シーソースイッチ１０１での操作速度と接点の開閉スピードとを独立させることができる。
【００３７】
さらに、本実施の形態のシーソースイッチ１０１では、規制アーム１２４が、第１接触片１１６や第２接触片１１７の長手方向の動きを規制している。このため、第１接触片１１６や第２接触片１１７は、押圧ピン１１２に押されても支点部１１８から離れることはない。
【００３８】
さらに、本実施の形態のシーソースイッチ１０１では、ストッパ部１２２が、第２接触片１１７の両端部から突出している。一般に、シーソースイッチでは、固定接点１１４及び可動接点１１５とが過電流等により溶着してしまう場合がある。また、第２端子１０９と第１接触片１１６の当接部１２０とが過電流等により溶着してしまう場合がある。本実施の形態では、このような異常状態となり第１接触片１１６が動かなくなってしまった場合でも、シーソー体１０３が動いて押圧ピン１１２の先端部がストッパ部１２２に突き当たるので、押圧ピン１１２の脱落が防止される。さらに、シーソー体１０３に大きな力を加えて押圧ピン１１２でストッパ部１２２を動かすことで、第１接触片１１６と第１端子１０８との溶着、並びに、第１接触片１１６と第２端子１０９との溶着を引き剥がすことができる。本実施の形態では、このようなストッパ部１２２を、第２接触片１１７を折り曲げて形成している。
【００３９】
さらに、本実施の形態のシーソースイッチ１０１では、支点部１１８が台形形状に形成され、第１接触片１１６が平坦部１１８ａに面接触したり、境界１２６Ｒ，１２６Ｌを回転中心として回転したりする。このため、シーソー体１０３の操作に応じた第１接触片１１６の動きが安定し、固定接点１１４に対する可動接点１１５の接触及び離反が確実になる。
【符号の説明】
【００４０】
１０１    シーソースイッチ
１０３    シーソー体（操作部）
１１３    押圧部
１１４    固定接点
１１５    可動接点
１１６    第１接触片
１１７    第２接触片
１１８    支点部
１１８ａ  平坦部
１１８ｂ  傾斜部
１２１    摺接部
１２２    ストッパ部
１２４    規制アーム（規制部）
【図１】
0005720343.tif 000002
【図２】
0005720343.tif 000003
【図３】
0005720343.tif 000004
【図４】
0005720343.tif 000005
【図５】
0005720343.tif 000006
【図６】
0005720343.tif 000007
【図７】
0005720343.tif 000008
【図８】
0005720343.tif 000009
【図９】
0005720343.tif 000010
【図１０】
0005720343.tif 000011
【図１１】
0005720343.tif 000012
【図１２】
0005720343.tif 000013